(57)【要約】【課題】  リズムやメロディーにのってばちで叩いて楽しむことができる太鼓玩具を提供する。【解決手段】  ばち４で叩く叩打部９０を有する玩具本体２を備え、玩具本体２に、１つ又は２つ以上のメロディーやリズムを発生させる音発生部を設けたことにより、前記課題を解決した。玩具本体に、叩打部９０をばち４で叩いたときに、ばち４で叩打部９０を叩いた毎に太鼓の擬似音を発生させる擬似音発生部を設けると共に、玩具本体２に、叩打部９０をばち４で叩いたときに、ばち４で叩打部９０を叩いた毎に光を外部に向けて発する発光部２２を設けることが好ましい。【選択図】        図１
0003110298.tif 000002
【実用新案登録請求の範囲】
【請求項１】
ばちで叩く叩打部を有する玩具本体を備えた太鼓玩具であって、
前記玩具本体に、１つ又は２つ以上のメロディーやリズムを発生させる音発生部を設けたことを特徴とする、太鼓玩具。
【請求項２】
前記玩具本体に、前記音発生部からメロディーやリズムを発生させる音発生スイッチを設け、
前記音発生部が、１つ又は２つ以上のメロディーやリズムを記録する記録部と、この記録部に記録されている２つ以上のメロディーやリズムのうち直前に発生させたメロディーやリズムとは異なるメロディーやリズムを選択して前記音発生スイッチの動作によりその選択したメロディーやリズムを発生させる選択部と、を有することを特徴とする、請求項１に記載の太鼓玩具。
【請求項３】
前記選択部が、前記記録部に記録されている２つ以上のメロディーやリズムを順次選択することを特徴とする、請求項２に記載の太鼓玩具。
【請求項４】
玩具本体が、太鼓部を有し、
この太鼓部が、両端面を形成する第１部材及び第４部材と胴部を形成する第２部材及び第３部材とを組み立てることにより太鼓状に形成され、この第１部材に設けられた嵌合凹部に前記叩打部を移動可能に嵌合して構成され、
この太鼓部が、前記叩打部が斜め上方に向いた状態で台に固定されていることを特徴とする、請求項１〜３のいずれか１項に記載の太鼓玩具。
【請求項５】
前記玩具本体が、光を外部に向けて発する発光部を有することを特徴とする、請求項１〜４のいずれか１項に記載の太鼓玩具。
【請求項６】
前記発光部が、装飾されていることを特徴とする、請求項５に記載の太鼓玩具。
【請求項７】
前記発光部が、前記発生するメロディーやリズムに適した太鼓の叩き方に応じて発光することを特徴とする、請求項５又は６に記載の太鼓玩具。
【請求項８】
前記発光部が、前記叩打部を前記ばちで叩いたときに、前記ばちで叩打部を叩いた毎に発光することを特徴とする、請求項５〜７のいずれか１項に記載の太鼓玩具。
【請求項９】
前記発光部が、個別に発光する発光体を複数有し、これら発光体のうちの一部が前記発生するメロディーやリズムに適した太鼓の叩き方に応じて発光し、かつ、前記叩打部を前記ばちで叩いたときに、前記ばちで叩打部を叩いた毎に前記発光体のうちの残り部が少なくとも発光することを特徴とする、請求項５〜８のいずれか１項に記載の太鼓玩具。
【請求項１０】
前記発光部が、内部にＬＥＤランプ等の発光体が設けられて人形やちょうちんの形をした装飾体を有する第１ケースと第２ケースとを嵌合してなることを特徴とする、請求項５〜９のいずれか１項に記載の太鼓玩具。
【請求項１１】
前記玩具本体に、前記叩打部を前記ばちで叩いたときに、前記ばちで叩打部を叩いた毎に太鼓の擬似音を発生させる擬似音発生部を設けたことを特徴とする、請求項１〜１０のいずれか１項に記載の太鼓玩具。
【請求項１２】
前記玩具本体に、前記叩打部が前記ばちで叩かれる叩かれ方向に移動可能であると共にその叩かれ方向とは反対方向に付勢され、
前記玩具本体に、前記叩打部が前記叩かれ方向に移動したとき、動作する作動スイッチが２つ以上設けられ、
これら作動スイッチの少なくとも１つの動作により前記擬似音発生部及び前記発光部のいずれか一方又は両方を動作させるようにしたことを特徴とする、請求項８、９又は１１に記載の太鼓玩具。
【考案の詳細な説明】
【技術分野】
【０００１】
本考案は、リズムやメロディにのってばちで叩いて楽しむことができる太鼓玩具に関するものである。
【背景技術】
【０００２】
太鼓玩具としては、実開昭６０−６９１８８号公報に記載されたものや実用新案登録第３００３４５８号公報に記載されたもの等が知られている。前者の太鼓玩具は、取っ手を有する枠体に面積の異なる穴を複数設け、これら穴にそれぞれ膜を張って複数の面状の叩打部を形成したものである。この太鼓玩具の複数の叩打部をばちで叩くと複数の叩打部からそれぞれ異なる音が発生する。また、後者の太鼓玩具は、上面部にばちで叩く厚さの薄い太鼓膜及びこの太鼓膜を叩いた時の振動伝播により振動する厚さの薄い振動膜を一体的に設けたドラム本体と、このドラム本体の上面部に保持され振動膜の上方を覆う透明ドームと、自在に動く関節接合の腕部及び足部を有し足部が振動膜に当接するように位置決めして透明ドーム内に吊持されるダンス人形とを備え、このダンス人形が太鼓膜を叩いた時の振動膜の振動で動くものであり、叩打部である太鼓膜をばちで叩いて楽しむだけのものではなく、ダンス人形の動きも楽しむことができる。
【考案の開示】
【考案が解決しようとする課題】
【０００３】
ところで、前記従来の太鼓玩具は、いずれも叩打部をばちで叩くことによって音を発生するが、太鼓玩具から発生する音はばちで叩く音だけであり、リズムやメロディにのってばちを叩いて楽しむことができなかった。
【０００４】
本考案は、前記課題を解決するためになされたものであって、その目的は、リズムやメロディにのってばちで叩いて楽しむことができる太鼓玩具を提供することにある。
【課題を解決するための手段】
【０００５】
前記の目的を達成するための本考案に係る太鼓玩具は、ばちで叩く叩打部を有する玩具本体を備えた太鼓玩具であって、前記玩具本体に、１つ又は２つ以上のメロディーやリズムを発生させる音発生部を設けたことを特徴とする。
【０００６】
この考案によれば、１つ又は２つ以上のメロディーやリズムを発生させる音発生部を設けたことにより、その音発生部によりメロディーやリズムを発生させて聞きながらばちで叩打部を叩けるので、リズムやメロディにのってばちで叩いて楽しむことができる。
【０００７】
本考案に係る太鼓玩具において、前記玩具本体に、前記音発生部からメロディーやリズムを発生させる音発生スイッチを設け、前記音発生部が、１つ又は２つ以上のメロディーやリズムを記録する記録部と、この記録部に記録されている２つ以上のメロディーやリズムのうち直前に発生させたメロディーやリズムとは異なるメロディーやリズムを選択して前記音発生スイッチの動作によりその選択したメロディーやリズムを発生させる選択部と、を有することが好ましい。また、本考案に係る太鼓玩具において、前記選択部が、前記記録部に記録されている２つ以上のメロディーやリズムを順次選択することが好ましい。また、本考案に係る太鼓玩具において、玩具本体が、太鼓部を有し、この太鼓部が、両端面を形成する第１部材及び第４部材と胴部を形成する第２部材及び第３部材とを組み立てることにより太鼓状に形成され、この第１部材に設けられた嵌合凹部に前記叩打部を移動可能に嵌合して構成され、この太鼓部が、前記叩打部が斜め上方に向いた状態で台に固定されていることが好ましい。
【０００８】
また、本考案に係る太鼓玩具において、前記玩具本体が、光を外部に向けて発する発光部を有することが好ましい。また、本考案に係る太鼓玩具において、前記発光部が、装飾されていることが好ましい。また、本考案に係る太鼓玩具において、前記発光部が、前記発生するメロディーやリズムに適した太鼓の叩き方に応じて発光することが好ましい。また、本考案に係る太鼓玩具において、前記発光部が、前記叩打部を前記ばちで叩いたときに、前記ばちで叩打部を叩いた毎に発光することが好ましい。また、本考案に係る太鼓玩具において、前記発光部が、個別に発光する発光体を複数有し、これら発光体のうちの一部が前記発生するメロディーやリズムに適した太鼓の叩き方に応じて発光し、かつ、前記叩打部を前記ばちで叩いたときに、前記ばちで叩打部を叩いた毎に前記発光体のうちの残り部が少なくとも発光することが好ましい。また、本考案に係る太鼓玩具において、前記発光部が、内部にＬＥＤランプ等の発光体が設けられて人形やちょうちんの形をした装飾体を有する第１ケースと第２ケースとを嵌合してなることが好ましい。また、本考案に係る太鼓玩具において、前記玩具本体に、前記叩打部を前記ばちで叩いたときに、前記ばちで叩打部を叩いた毎に太鼓の擬似音を発生させる擬似音発生部を設けることが好ましい。また、本考案に係る太鼓玩具において、前記玩具本体に、前記叩打部が前記ばちで叩かれる叩かれ方向に移動可能であると共にその叩かれ方向とは反対方向に付勢され、前記玩具本体に、前記叩打部が前記叩かれ方向に移動したとき、動作する作動スイッチが２つ以上設けられ、これら作動スイッチの少なくとも１つの動作により前記擬似音発生部及び前記発光部のいずれか一方又は両方を動作させるようにすることが好ましい。
【考案の効果】
【０００９】
以上説明したように、本考案に係る太鼓玩具によれば、１つ又は２つ以上のメロディーやリズムを発生させる音発生部を設けたので、その音発生部によりメロディーやリズムを発生させて聞きながらばちで叩打部を叩け、リズムやメロディにのってばちで叩いて楽しむことができる。
【考案を実施するための最良の形態】
【００１０】
以下、本考案に係る太鼓玩具を添付図面に基づいて詳述する。
【００１１】
図１は本考案に係る太鼓玩具の一例を示す斜視図である。図２は本考案に係る太鼓玩具の一例を示す分解斜視図である。図３は本考案に係る玩具本体を台に支持させる一例を示す斜視図である。本考案に係る太鼓玩具は、図１〜図３に示すように、ばち４で叩く叩打部９０を有する玩具本体２と、玩具本体２を支持する台３と、ばち４とを備えている。
【００１２】
玩具本体２は、合成樹脂等で形成されている。玩具本体２は、太鼓状に形成されている太鼓部２１と、発光部２２とからなる。太鼓部２１は、第１部材５０〜第４部材８０と叩打部９０との５つの部材から主になる。第１部材５０及び第４部材８０は、太鼓部２１の両端面を形成するものであり、例えば、第１部材５０が叩打部９０が取り付けられる前面となる側の部材であり、第４部材８０が後面となる側の部材である。第２部材６０及び第３部材７０は、太鼓における胴部を形成するものであり、その胴部を略中央部から２つに分割したような部材である。これら４つの第１部材５０〜第４部材８０を組み立てることにより太鼓状の太鼓部２１が形成される。
【００１３】
第２部材６０は、図２、図４〜図６に示すように、略有底円筒体状に形成されている。第２部材６０の底部６１が第１部材５０と接触する箇所であり、その開口部が第３部材７０と接触するようになっている。第２部材６０の底部６１は、開口部の径より小さな寸法の径で形成されている。第２部材６０の開口部の端部近傍の周面の所定の箇所（台に載置される箇所）には、台３に固定するための第１固定凹部４２が設けられている。
【００１４】
第３部材７０は、図２に示すように、略円筒体状に形成されている。第３部材７０の第１開口部（第２部材６０と接触する側の開口部）は、第２部材６０の開口部と同じ（略同じを含む。）寸法の径で形成されている。第３部材７０の第２開口部（第４部材８０と接触する側の開口部）は、第２部材６０の底部６１の径と同じ（略同じを含む。）寸法の径で形成されている。
【００１５】
この第３部材７０と第２部材６０の長手方向の長さ及び周面（胴部）が同じ（略同じを含む。）寸法及び形状で形成されている。第２部材６０の開口部側の端部と第３部材７０の第１開口部側の端部とが、同軸上に互いに嵌合するように、例えば、段状に形成されている。また、玩具本体２を台３に固定したときに上部となる位置の第２部材６０の端部と第３部材７０の第１開口部側の端部とには、発光部２２を固定する発光凹部６２、７２がそれぞれ設けられている。また、玩具本体２を台３に固定したときに両側部となる位置の第２部材６０の第２開口部側の端部と第３部材７０の第１開口部側の端部とには、和太鼓における持ち手として機能する持ち手金具を模擬した模擬手部を装着する手部装着凹部６３、７３がそれぞれ設けられている。また、第２部材６０の底部６１の外周端部及び第３部材７０の第２開口部側の端部には、その周方向に所定の間隔で和太鼓における鋲を模擬した模擬鋲１６を装着する鋲装着凹部６４、７４がそれぞれ設けられている。
【００１６】
模擬鋲１６は、どのように形成してもよく、例えば、図示するように、リング状のリング基部１７の外表面にその周方向に所定の間隔で径方向外方に延びる延出部１８を設け、これら延出部１８の先端に形成するようにしてもよいし、また、そのリング基部を２つ以上例えば３つに分割したような円弧状の基部の外表面に突設された延出部の先端部に形成するようにしてもよい。
【００１７】
第４部材８０は、図２、図３及び図９に示すように、略有底円筒体状に形成されている。第４部材８０の開口部の径は、第３部材７０の第２開口部の径と略同じ寸法であって底部８１の径より大きな寸法で形成されている。第４部材８０の端部には、その周方向に所定の間隔で模擬鋲１６を装着する鋲装着凹部８４が設けられており、第４部材８０と第３部材７０とが模擬鋲１６を介して嵌合されるようになっている。第４部材８０の底部８１の内面には、スピーカー１４を取り付けるためのスピーカー取付部８２が設けられている。また、第４部材８０の底部８１には、例えば、単三電池２本を底部の外面から交換可能に収容する電池収容部８５が設けられている。電池収容部８５には、電池収容部８５を着脱可能に閉塞する蓋８６が例えばネジ８７等により取り付けられている。また、第４部材８０の底部には、オン・オフを切り替える電源スイッチ１１が設けられている。また、第４部材８０の底部８１の内面には、その軸方向に延びる取付部８８が１つ又は２つ以上図示例では４つ立設されている。これら取付部８８の先端部は、それぞれ同軸上に円形に窪んだ取付凹部８８ａが設けられている。この取付凹部８８ａの底部の同軸上には、例えば、ネジ２５の螺合部が挿通される貫通孔８８ｂが設けられている。
【００１８】
第１部材５０は、図２、図４及び図７に示すように、略有底円筒体状に形成されている。第１部材５０の底部５１の外表面（端面）には、叩打部９０を嵌合する、例えば、同軸上で例えば円形に窪んだ嵌合凹部５２が設けられている。第１部材５０の開口部の径は、第２部材６０の底部６１の径と略同じ寸法であって底部６１の径より大きな寸法で形成されている。第１部材５０の端部には、その周方向に所定の間隔で模擬鋲１６を装着する鋲装着凹部５４が設けられており、第１部材５０と第２部材６０とが模擬鋲１６を介して嵌合されるようになっている。第１部材５０の底部５１の内面には、その軸方向に延びる取付部５８が１つ又は２つ以上図示例では４つ立設されている。これら取付部５８は、第４部材８０の取付部８８に対向した底部５１内面に配置されている。これら取付部５８は、第４部材８０の取付部８８の取付凹部８８ａの径と同じか若干小さな寸法の径の断面円形の棒状に形成されている。各取付部５８の先端部には、同軸上にネジ溝が設けられている取付孔５８ａがそれぞれ設けられている。
【００１９】
第１部材５０〜第４部材８０を組み立てたとき、第１部材５０の取付部５８が第２部材６０の底部６１を貫通して先端部が第４部材８０の取付部８８の取付凹部８８ａに嵌合し、第４部材８０の底部８１の外表面から第４部材８０の取付部８８内に例えばネジ２５を挿入して、そのネジ２５の螺合部を貫通孔８８ｂを貫通させてから第１部材５０の取付部５８の取付孔５８ａに螺合させることにより、太鼓状の太鼓部２１が形成されるようになっている。
【００２０】
叩打部９０は、図１、図２、図４及び図８に示すように、円板状に形成されている。叩打部９０の円周端部は、軸方向に延びる円環状のフランジ部９１として形成されている。このフランジ部９１の軸方向の長さは、特に限定されないが、例えば、嵌合凹部５２の深さの寸法と同じか若干小さい又は若干大きな寸法で形成されている。叩打部９０の径は、例えば、嵌合凹部５２の径より若干小さな寸法の径で形成されていることが好ましい。
【００２１】
叩打部９０の内面の中央部には、同軸上であってその軸方向に延びる摺動部９２が設けられている。摺動部９２の先端面には、ネジ溝が螺刻されている取付孔９２ａが設けられている。摺動部９２は、叩打部９０を嵌合凹部５２に嵌合させたとき、第１部材５０の底部５１及び第２部材６０の底部６１をそれぞれ貫通して先端部が第２部材６０の底部６１の内面から突出する長さに形成されている。
【００２２】
この摺動部９２の外周であって叩打部９０の内面と第１部材５０の底部５１との間の外周には、付勢部材、例えば、圧縮コイルスプリング等のばね２４が設けられ、叩打部９０が嵌合凹部５２から突出する方向に付勢されている。ばね２４は、子供例えば幼児がばち４で叩打部９０を叩いても簡単に叩打部９０が嵌合凹部５２内の軸方向内方に移動し得る付勢力を有したものであることが好ましい。また、第２部材６０の底部６１の内面から突出した摺動部９２の先端部の取付孔９２ａに、例えば、摺動部９２が貫通する第２部材６０の底部６１の貫通孔６５の径より大きな径のワッシャーが付いたネジ２６が螺合され、叩打部９０の嵌合凹部５２から突出する方向の移動が規制されるようになっている。
【００２３】
叩打部９０の内面の摺動部９５と周縁部との間であって例えばその間の略中央部には、例えば、その周方向に９０°（略９０°を含む。）間隔で作動部材９３が４つ設けられている。作動部材９３は、叩打部の内面からその軸方向に延びて形成されている。作動部材９３は、第１部材５０の底部５１及び第２部材６０の底部６１をそれぞれ貫通して先端部が第２部材６０の底部６１の内面から突出する長さに形成されている。
【００２４】
この作動部材９３は、第１部材５０の底部５１を貫通する第１作動部９３ａと、この第１作動部９３ａの先端部から突出し、第１作動部９３ａと形状が異なり、第２部材６０の底部６１を貫通する第２作動部９３ｂとからなる。第１作動部９３ａは、例えば断面略十字状に形成されている。この第１作動部９３ａが貫通する第１部材５０の底部５１には、第１作動部９３ａの形状より若干大きな略十字状の作動貫通孔５６が設けられている。第２作動部９３ｂは、第１作動部９３ａの略十字状の中央部から延びる断面円形状に形成されている。この第２作動部９３ｂが貫通する第２部材６０の底部６１には、第２作動部９３ｂの形状より若干大きな寸法の径の円形状の作動貫通孔６６が設けられている。叩打部９０が嵌合凹部５２内の軸方向内方に移動したとき、その第２部材６０以外の第１作動部９３ａの先端部が第２部材６０の底部６１に接触するか、フランジ部９１の先端部が嵌合凹部５２の底部に接触するか、または両方接触することにより、叩打部９０の嵌合凹部５２から内方への方向の移動が規制されるようになっている。
【００２５】
また、第２部材６０の底部６１の内表面であって作動貫通孔６６の近傍には、図４及び図５に示すように、それぞれスイッチ取付部６８が設けられている。スイッチ取付部６８には、図６及び図１０に示すように、作動貫通孔６６から突出する第２作動部９３ｂの移動により作動する作動スイッチ１２が設けられている。すなわち、作動スイッチ１２は、第２部材６０の底部６１の内表面にその周方向に９０°（略９０°を含む。）間隔で４つ設けられている。なお、作動スイッチの個数は、１つでも２つ、３つ、５つ以上でもよいが、好ましくは２つ以上で、４つが特に好ましい。
【００２６】
作動スイッチ１２は、第２作動部９３ｂの移動により作動すれば特に限定されず、例えば、スイッチ取付部６８に固定される固定部１２ａと、その固定部１２ａから作動貫通孔６６の上方に延び、上下方向に所定の間隔で配置された２枚の可撓性を有する導電性の薄金属板１２ｂ、１２ｃとからなる。固定部１２ａは、例えば、接着剤等によりスイッチ取付部６８に固定されている。２枚の薄金属板１２ｂ、１２ｃは、固定部１２ａから底部６１に対して平行に延びた細長の矩形板状に形成されている。上方の薄金属板１２ｂの略中央部には、下方の薄金属板１２ｃとの間隔を維持するための絶縁性の間隔維持部材１２ｄが設けられている。２枚の薄金属板１２ｂ、１２ｃの片方または両方、図示例では下方の薄金属板１２ｃの先端部近傍であって互いに対向する表面(内表面)には、薄金属板１２ｂ、１２ｃ間の間隔を狭くする導電性の接触部１２ｅが設けられている。
【００２７】
また、２枚の薄金属板１２ｂ、１２ｃの先端部近傍の外表面（内表面と反対側の面）には、絶縁性の保護部材１２ｆ、１２ｇがそれぞれ設けられている。保護部材１２ｆ、１２ｇは、薄金属板１２ｂ、１２ｃの中央部と先端部との間に固定されて薄金属板１２ｂ、１２ｃと所定の間隔で、かつ薄金属板１２ｂ、１２ｃと平行であって同じ方向に延びた側面略Ｌ字状に形成されている。この下方の薄金属板１２ｃに設けられた保護部材１２ｇに第２作動部９３ｂの先端部が接触しており（図１０（ａ）参照。）、叩打部９０が嵌合凹部５２内の軸方向内方に移動したとき、第２作動部９３ｂの先端部の移動により保護部材１２ｇが下方の薄金属板１２ｃを上方の薄金属板１２ｂの方向に押し上げて下方の薄金属板１２ｃの接触部１２ｅが上方の薄金属板１２ｂと接触して２枚の薄金属板１２ｂ、１２ｃが電気的に接続されるようになっている（図１０（ｂ）参照。）。
【００２８】
発光部２２は、図１及び図２に示すように、太鼓部２１の上部の発光凹部６２、７２に取り付けられている。発光部２２は、例えば、第１ケース体３１と第２ケース体３２とからなる略円盤状に形成されている。第１ケース体３１及び第２ケース体３２は、略有底円筒体状にそれぞれ形成され、これらの開口端部が互いに嵌合されて発光部２２が形成されている。この発光部２２の太鼓部２１の上部に取り付けられる箇所は、開口されて太鼓部２１の内部と発光部２２の内部とが連通されている。
【００２９】
第１ケース体３１は、玩具本体２の表面側に位置されるものである。この第１ケース体３１の表面には、内部に例えばＬＥＤランプ等の発光体（図示せず）が設けられて、その発光体からの発光により光を外部に向けて発する装飾体３３が取り付けられている。すなわち、発光部２２は、装飾されていることが好ましい。装飾体３３としては、特に限定されずどのようなものでもよく、例えば、キャラクター等の形どったものやちょうちん等を形どったもの等が挙げられる。また、第１ケース体３１の表面の下方には、音発生スイッチ１３が取り付けられている。音発生スイッチ１３は、特に限定されず、例えば、突出方向に付勢されているスイッチボタン１３ａを押し込み操作することによりスイッチが入る（例えば電気的に接続される）ボタンスイッチ等が挙げられる。この音発生スイッチ１３は、発光部２２内に設けられた基板１９に電気的に接続されている。基板１９には、スピーカー１４、電池収容部８５に収容された電池、電源スイッチ１１、作動スイッチ１２が電気的に接続されている。この基板１９には、メモリやスイッチの作動により音を発生させたりするための素子等が設けられている。すなわち、基板１９が一種の制御部として構成されている。
【００３０】
制御部は、電源スイッチ１１がＯＮで音発生スイッチ１３が作動されると、記録部であるメモリに予め記録した１つ又は２つ以上のメロディーやリズムを発生させる音発生部の構成要素である音発生機能を備えている。音発生機能は、メモリに予め記録した２つ以上のメロディーやリズムのうち直前に発生させたメロディーやリズムとは異なるメロディーやリズムを選択して、この選択したメロディーやリズムを発生させる選択部としての選択機能を有している。この選択機能は、メモリに記録されているメロディーやリズムをランダムに選択したり、順次選択したりするものであり、メモリに記録されているメロディーやリズムを順次選択するように構成されていることが好ましい。
【００３１】
また、音発生機能には、発生させるメロディーやリズムに応じて装飾体３３を発光させる装飾体発光機能を有することが好ましい。装飾体発光機能は、メロディーやリズムに応じて装飾体３３を発光させるパターンが異なり、例えば、音楽に応じて叩打部９０を叩くタイミングをメロディーやリズムに適した太鼓の叩き方に応じて装飾体３３を発光させることによって行われるようにしてもよい。また、装飾体発光機能は、装飾体３３の全てを発光させてもよいし、その一部を発光させてもよく、例えば、ちょうちんの形をした装飾体３３を発光させるようにすることが好ましい。
【００３２】
また、制御部は、作動スイッチ１２が作動する毎に記録部であるメモリに予め記録した実際の太鼓の擬似音を発生させる擬似音発生部の構成要素である擬似音発生機能を備えていることが好ましい。また、制御部は、作動スイッチ１２が作動する毎に装飾体３３を発光させる装飾体作動発光機能を備えていることが好ましい。この装飾体作動発光機能は、装飾体３３の全てを発光させてもよいし、その一部を発光させてもよく、装飾体発光機能により発光しない装飾体３３が少なくとも発光することが好ましく、例えば、少なくとも人形の形をした装飾体３３が発光することが好ましく、装飾体３３の全てを発光させるようにすることが特に好ましい。
【００３３】
台３は、図１〜図３及び図１１に示すように、玩具本体２を固定した状態で支持するものである。台３は、例えば、太鼓部２１の叩打部９０が斜め上方に向いた状態、すなわち太鼓部の軸が水平線に対して傾斜した状態で玩具本体２を支持するように略矩形枠状に形成されている。この台３の後部となる一辺（後辺）は、全体又は一部例えば台３の角部が上方に突出して、太鼓部の後面を支持し得るように形成されている。台３の前部となる前辺は、全体が上方に突出すると共に先端部が湾曲状に形成され、かつ、両角部に相当する箇所３ａ、３ｂがさらに突出すると共に先端部が太鼓部２１の周面を支持しやすいように傾斜されて形成されている。
【００３４】
玩具本体２の台３への固定手段４１は、玩具本体２を台３に固定できれば特に限定されず、例えば、太鼓部２１に固定凹部を設けると共に、この固定凹部に係合する固定凸部を台３に設けるようにしてもよい。固定凹部は、例えば、太鼓部の胴部の一部に設けられた第１固定凹部４２と、太鼓部２１の後面の下方に設けられた２つの第２固定凹部４３、４３とからなる。固定凸部は、例えば、台３の前辺の内側（後辺と対向する側）の略中央部に略Ｕ字状に突出し、第１固定凹部４２と係合する第１固定凸部４４と、台３の後辺の内側（前辺と対向する側）に前辺方向に延びて突出し、第２固定凹部４３とそれぞれ係合する２つの第２固定凸部４５、４５とからなり、２つの第２固定凸部４５、４５に２つの第２固定凹部４３、４３を係合させると共に第１固定凸部４４に第１固定凹部４２を係合させることにより、太鼓部２１の叩打部９０が上方に傾斜した状態で玩具本体２が台３に固定された状態で支持されるようになっている。なお、図２中、符号２９は台３の前辺の前面に貼付する例えばシールを示している。
【００３５】
ばち４は、太鼓部２１の叩打部９０を叩くもので、２本で１セットである。ばち４は、例えば、２つの分割体を組み合わせた棒状に形成されている。ばち４の先端部には、叩打部９０を叩いても叩打部９０の表面が傷つかないように抑制する柔軟性のキャプ４ａが嵌合されている。
【００３６】
次に本考案に係る太鼓玩具の作用を説明する。
【００３７】
本考案に係る太鼓玩具１を使って遊ぶには、まず、２つの第２固定凸部４５、４５に２つの第２固定凹部４３、４３を係合すると共に第１固定凸部４４に第１固定凹部４２を係合して、玩具本体２に固定した台３を例えば机等の平面上に載置する。これにより、太鼓部２１の叩打部９０が上方に傾斜した状態で台３を介して玩具本体２が例えば机の上の所望の箇所に載置される。
【００３８】
次に、玩具本体２の太鼓部２１の後面の電源スイッチ１１をＯＮにしてから、発光部２２の前面にある音発生スイッチ１３を作動させると、メモリに記録されているメロディーやリズムがスピーカー１４より発生する。これにより、メロディーやリズムを聞きながらばち４で叩打部９０を叩けるので、リズムやメロディーにのってばち４で叩いて楽しむことができる。リズムやメロディーが終了した後に再び音発生スイッチ１３を作動させると、メモリに２つ以上のメロディーやリズムが記録されている場合には、直前に発生させたメロディーやリズムとは異なるメロディーやリズムが発生する。これにより、２つ以上のメロディーやリズムにのってばち４で叩いて楽しむことができる。
【００３９】
このようにスピーカー１４よりメロディーやリズムが発生しているときに、そのメロディーやリズムに応じて装飾体３３例えばちょうちんの形をした装飾体３３のみが発光すると、視覚においても楽しむことができる。その結果、音だけでなく目でも確認できるので、例えば子供のリズム感を発達させる効果が期待できる。また、その装飾体３３の発光がメロディーやリズムに適した太鼓の叩き方に応じた太鼓を叩くタイミングで行われていると、メロディーやリズムに応じた太鼓の叩き方を会得することができる。
【００４０】
また、ばち４で叩打部９０を叩くと、叩打部９０はばね２４の付勢力に抗して嵌合凹部５２内の軸方向内方に移動する。これにより、叩打部９０の内面に設けられている作動部材９３の第２作動部９３ｂも移動して第２作動部９３ｂの先端部によって作動スイッチ１２が作動され（作動スイッチ１２の２枚の薄金属板１２ｂ、１２ｃが接触して電気的に接続され）、メモリに記録されている太鼓の擬似音がスピーカー１４から発生する。
【００４１】
このとき、作動スイッチ１２は、第２部材６０の底部６１の内表面に複数個、例えば、その周方向に９０°（略９０°を含む。）間隔で４つ設けられているので、太鼓の擬似音がスピーカー１４から確実に発生することになる。すなわち、第２部材６０の底部６１の内表面に作動スイッチが１つだけ設けられている場合には、叩打部９０を叩く位置によっては、作動スイッチが作動しないこともあり得る。このため、第２部材６０の底部６１の内表面に複数個、例えば、その周方向に９０°（略９０°を含む。）間隔で４つ作動スイッチ１２が設けられていると、叩打部９０を叩く位置が叩打部９０の端部の近くでもどれか１つの作動スイッチ１２が作動するので、確実に太鼓の擬似音をスピーカー１４から発生させることができる。
【００４２】
ばち４で叩いた後は、ばね２４の付勢力により叩打部９０が嵌合凹部５２から突出する方向に移動して、作動スイッチ１２の２枚の薄金属板１２ｂ、１２ｃが離れて電気的な接続が解除される。再度、ばち４で叩打部９０を叩くと、叩打部９０が移動して作動スイッチ１２が作動され、擬似音が発生する。従って、ばち４で叩打部９０を叩く毎に太鼓の擬似音が発生するので、聴覚においても楽しむことができる。
【００４３】
また、作動スイッチ１２が作動すると、すなわちばち４で叩打部９０を叩くと、ばち４で叩打部９０を叩く毎に例えば全ての装飾体３３が発光するので、一層視覚を刺激することになる。このとき、装飾体発光機能により発光しない例えば人形の形をした装飾体３３が発光することにより、例えば子供のリズム感を一層発達させる効果が期待できる。すなわち、スピーカー１４よりメロディーやリズムが発生しているときに、そのメロディーやリズムに適した太鼓の叩き方に応じてちょうちんの形をした装飾体３３が発光するために、そのちょうちんの形をした装飾体３３が発光したときに、ばち４で叩打部９０を叩けば、人形の形をした装飾体３３も発光するので、ちょうちんの形をした装飾体３３の発光と人形の形をした装飾体３３の発光を視覚で確認できる。その結果、ちょうちんの形をした装飾体３３の発光と人形の形をした装飾体３３の発光とが同期していればメロディーやリズムに適した太鼓の叩き方をできる。すなわち、上手に太鼓玩具１を叩けることになり、例えば子供のリズム感を一層発達させる効果が期待できる。
【００４４】
したがって、本考案に係る太鼓玩具１は、メロディーやリズムを聞きながらばち４で叩打部９０を叩け、リズムやメロディーにのってばち４で叩いて楽しむことができる。また、ばち４で叩打部９０を叩くと、作動スイッチ１２が作動されて擬似音が発生すると共に装飾体３３が発光するので、さらに、太鼓の音による聴覚や装飾体３３が光ることによる視覚も楽しむことができる。
【産業上の利用可能性】
【００４５】
以上説明したように本考案に係る太鼓玩具は、１つ又は２つ以上のメロディーやリズムを発生させる音発生部を設けたので、その音発生部によりメロディーやリズムを発生させて聞きながらばちで叩打部を叩け、リズムやメロディーにのってばちで叩いて楽しむことができ、特に子供の玩具として好適に用いられるものである。
【図面の簡単な説明】
【００４６】
【図１】本考案に係る太鼓玩具の一例を示す斜視図である。
【図２】本考案に係る太鼓玩具の一例を示す分解斜視図である。
【図３】本考案に係る玩具本体を台に支持させる一例を示す部分斜視図である。
【図４】本考案に係る叩打部、第１部材及び第２部材を示す断面図で、（ａ）は叩打部に力を作用させていない状態を示す図、（ｂ）は叩打部を嵌合凹部内に移動させた状態を示す図である。
【図５】本考案に係る第２部材の一例を示す図で、（ａ）は斜視図、（ｂ）は平面図、（ｃ）は断面図である。
【図６】本考案に係る第２部材に作動スイッチを装着した一例を示す図で、（ａ）は斜視図、（ｂ）は平面図、（ｃ）は断面図である。
【図７】本考案に係る第１部材の一例を示す図で、（ａ）は斜視図、（ｂ）は平面図、（ｃ）は（ｂ）中Ａ−Ａ線矢視断面図である。
【図８】本考案に係る叩打部の一例を示す図で、（ａ）は斜視図、（ｂ）は平面図、（ｃ）は断面図である。
【図９】本考案に係る第４部材の一例を示す斜視図である。
【図１０】本考案に係る作動スイッチの一例を示す側面図で、（ａ）は作動されていない状態を示す図、（ｂ）は作動されている状態を示す図である。
【図１１】本考案に係る台の一例を示す斜視図である。
【符号の説明】
【００４７】
１  太鼓玩具
２  玩具本体
３  台
４  ばち
１１  電源スイッチ
１２  作動スイッチ
１３  音発生スイッチ
１９  基板
２１  太鼓部
２２  発光部
５０  第１部材
５２  嵌合凹部
６０  第２部材
７０  第３部材
８０  第４部材
９０  叩打部
【図１】
0003110298.tif 000003
【図２】
0003110298.tif 000004
【図３】
0003110298.tif 000005
【図４】
0003110298.tif 000006
【図５】
0003110298.tif 000007
【図６】
0003110298.tif 000008
【図７】
0003110298.tif 000009
【図８】
0003110298.tif 000010
【図９】
0003110298.tif 000011
【図１０】
0003110298.tif 000012
【図１１】
0003110298.tif 000013